(57)【要約】バックライト装置１２は、取付孔３２，３３を有するシャーシ１４と、シャーシ１４内に配される冷陰極管１７と、取付孔３２，３３によってシャーシ１４に取り付けられるとともに冷陰極管１７を保持可能なランプクリップ１８とを備え、ランプクリップ１８は、シャーシ１４内に配される本体部２７と、本体部２７から取付孔３２，３３を通してシャーシ１４外に突出する基部３０ａ，３１ａと、基部３０ａ，３１ａから本体部２７に沿う向きに突出するとともに本体部２７との間で取付孔３２，３３の縁部を挟持可能な挟持部３０ｂ，３１ｂとからなる取付部３０，３１とを有する一方、シャーシ１４は、取付孔３２，３３に対して挟持部３０ｂ，３１ｂにより挟持される縁部とは反対側に隣接する部分を外側へ膨出させることで形成され、取付部３０，３１を受け入れ可能な受入部３９，４０と、受入部３９，４０を部分的に内側へ突出させることで形成され、取付部３０，３１に当接可能な当接部４３とを有する。
2010070950.tif 000002
【特許請求の範囲】
【請求項１】
取付孔を有するシャーシと、
前記シャーシ内に配されるランプと、
前記取付孔によって前記シャーシに取り付けられるとともに前記ランプを保持可能なランプ保持具と、を備え、
前記ランプ保持具は、
前記シャーシ内に配される本体部と、
前記本体部から前記取付孔を通して前記シャーシ外に突出する基部と、前記基部から前記本体部に沿う向きに突出するとともに前記本体部との間で前記取付孔の縁部を挟持可能な挟持部と、からなる取付部と、
を有する一方、
前記シャーシは、
前記取付孔に対して前記挟持部により挟持される前記縁部とは反対側に隣接する部分を外側へ膨出させることで形成され、前記取付部を受け入れ可能な受入部と、
前記受入部を部分的に内側へ突出させることで形成され、前記取付部に当接可能な当接部と、
を有する照明装置。
【請求項２】
前記当接部は、前記本体部に沿う方向について複数並列して設けられている請求の範囲第１項記載の照明装置。
【請求項３】
前記当接部は、隣り合う前記当接部間の距離が、前記取付部における前記本体部に沿う方向についての寸法よりも小さくなるよう配されている請求の範囲第２項記載の照明装置。
【請求項４】
前記当接部は、前記受入部のうち互いに対向する壁にそれぞれ設けられている請求の範囲第１項から請求の範囲第３項のいずれか１項に記載の照明装置。
【請求項５】
前記当接部は、互いに対向状に配されている請求の範囲第４項記載の照明装置。
【請求項６】
前記当接部及び前記取付部は、互いの当接面が並行するよう形成されている請求の範囲第１項から請求の範囲第５項のいずれか１項に記載の照明装置。
【請求項７】
前記当接部及び前記取付部は、互いの当接面が前記基部の突出方向に沿ってほぼ真っ直ぐになるよう形成されている請求の範囲第６項記載の照明装置。
【請求項８】
前記当接部は、前記基部の突出方向について前記受入部のほぼ全域にわたって形成されている請求の範囲第７項記載の照明装置。
【請求項９】
前記受入部は、全体として膨出端側にかけて先窄み状に形成されていて、前記シャーシから外向きに立ち上がるとともに前記シャーシに対して傾斜状をなす周壁と、前記周壁の先端に連なる底壁とから構成されており、
前記当接部は、前記周壁に設けられている請求の範囲第１項から請求の範囲第８項のいずれか１項に記載の照明装置。
【請求項１０】
前記シャーシのうち、前記周壁と前記取付孔とに隣り合う部分には、前記取付孔に連通するスリットが形成されている請求の範囲第９項記載の照明装置。
【請求項１１】
前記スリットは、前記周壁の基端よりも拡張して形成されている請求の範囲第１０項記載の照明装置。
【請求項１２】
前記取付部は、前記挟持部の突出方向について互いに離間した位置に一対設けられるのに対し、前記取付孔及び前記受入部は、それぞれ一対の前記取付部に対応した位置に一対ずつ設けられており、
前記当接部は、一対の前記受入部にそれぞれ設けられている請求の範囲第１項から請求の範囲第１１項のいずれか１項に記載の照明装置。
【請求項１３】
前記取付部における前記挟持部の突出端には、前記本体部との間の距離が先端側に向けて連続的に漸次広がるガイド部が設けられている請求の範囲第１項から請求の範囲第１２項のいずれか１項に記載の照明装置。
【請求項１４】
前記本体部と前記シャーシとには、互いに凹凸嵌合することで、前記本体部に沿う方向について相互を位置決め可能な位置決め構造がそれぞれ設けられている請求の範囲第１項から請求の範囲第１３項のいずれか１項に記載の照明装置。
【請求項１５】
前記位置決め構造は、前記本体部に設けられた位置決め凸部と、前記シャーシに設けられ前記位置決め凸部を嵌合可能な位置決め凹部または位置決め孔とから構成される請求の範囲第１４項記載の照明装置。
【請求項１６】
前記位置決め構造は、前記取付部が前記受入部内に配された状態では、非嵌合状態とされるのに対し、前記取付部が前記取付孔内に配された状態では、嵌合状態とされる請求の範囲第１４項または請求の範囲第１５項記載の照明装置。
【請求項１７】
前記本体部のうち前記受入部に対して平面視重畳する部分には、前記受入部よりも幅広な幅広部が設けられている請求の範囲第１項から請求の範囲第１６項のいずれか１項に記載の照明装置。
【請求項１８】
請求の範囲第１項から請求の範囲第１７項のいずれか１項に記載の照明装置と、前記照明装置からの光を利用して表示を行う表示パネルとを備える表示装置。
【請求項１９】
前記表示パネルは、一対の基板間に液晶を封入してなる液晶パネルとされる請求の範囲第１８項記載の表示装置。
【請求項２０】
請求の範囲第１８項または請求の範囲第１９項に記載された表示装置を備えるテレビ受信装置。
【発明の詳細な説明】
【技術分野】
【０００１】
本発明は、照明装置、表示装置及びテレビ受信装置に関する。
【背景技術】
【０００２】
従来、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、金属製や樹脂製で液晶パネル側の面が開口したシャーシと、シャーシ内に敷設された反射シートと、シャーシ内に収容される多数本の冷陰極管と、シャーシの開口部分に配されて冷陰極管が発する光を効率的に液晶パネル側へ放出させるための多数枚の光学部材（拡散板など）と、細長い管状をなす冷陰極管の中間部分を保持するためのランプクリップとを備える。【０００３】
上記したような構成のバックライト装置に用いられるランプクリップの一例として下記特許文献１に記載されたものが知られている。このランプクリップは、シャーシ内に配される本体部を備えるとともに、本体部から裏側へ突出する基部と、基部の先端から本体部に沿う向きに突出する片持ち状の挟持部とからなる取付部を備えるのに対し、シャーシには、平面に視て取付部よりも大きな取付孔が開口して形成されている。ランプクリップをシャーシに取り付けるには、取付部を取付孔に挿入した後、ランプクリップを挟持部の突出方向へ向けてスライドさせる。すると、挟持部と本体部との間で取付孔の縁部が挟持されることで、ランプクリップが取付状態に保持されるようになっている。
【特許文献１】特開２００７−７３５２７公報
【０００４】
（発明が解決しようとする課題）
ところで、ランプクリップは、シャーシ内の光を有効利用するため、表面を例えば白色などにして光の反射性を高めているのであるが、光を全て反射させることができるわけではなく、いくらかの割合で光がランプクリップを透過し得る。ランプクリップを透過した光は、取付孔を通してシャーシの背面側外部へ漏れ出してしまい、表示品位が低下するなどの問題が生じるおそれがある。【０００５】
特に、上記したスライド取付型のランプクリップを採用したものでは、取付部は、片持ち状の挟持部を突出させているため、平面形状が横長で大きくなりがちとなっており、その取付部を受け入れる取付孔におけるシャーシでの開口面積も大きくなって漏れ出す光量が多くなる傾向にあり、対応策が希求されるところであった。
【発明の開示】
【０００６】
本発明は上記のような事情に基づいて完成されたものであって、漏光を抑制することを目的とする。
【０００７】
（課題を解決するための手段）
本発明の照明装置は、取付孔を有するシャーシと、前記シャーシ内に配されるランプと、前記取付孔によって前記シャーシに取り付けられるとともに前記ランプを保持可能なランプ保持具とを備え、前記ランプ保持具は、前記シャーシ内に配される本体部と、前記本体部から前記取付孔を通して前記シャーシ外に突出する基部と、前記基部から前記本体部に沿う向きに突出するとともに前記本体部との間で前記取付孔の縁部を挟持可能な挟持部とからなる取付部とを有する一方、前記シャーシは、前記取付孔に対して前記挟持部により挟持される前記縁部とは反対側に隣接する部分を外側へ膨出させることで形成され、前記取付部を受け入れ可能な受入部と、前記受入部を部分的に内側へ突出させることで形成され、前記取付部に当接可能な当接部とを有する。
【０００８】
シャーシにランプ保持具を取り付けるには、取付部を受入部内に進入させた状態から、基部からの挟持部の突出方向へ向けてランプ保持具を移動させる。すると、基部及び挟持部が取付孔を通してシャーシ外に突出するとともに挟持部と本体部との間で取付孔の縁部が挟持されることで、ランプ保持具がシャーシに取り付けられる。取付部を受け入れる受入部は、シャーシを部分的に外側へ膨出させることで形成されているので、仮に受入部として取付孔に連続した開口を形成した場合と比べると、シャーシにおける開口面積を小さくすることができる。これにより、シャーシ外に光が漏れ出すのを抑制することができる。
【０００９】
しかも、取付部が受入部内に進入した状態では、受入部を部分的に内側に突出させてなる当接部が取付部に当接されるので、その状態からランプ保持具を挟持部の突出方向へ移動させると、当接部が取付部に摺接され、もってランプ保持具の移動動作を円滑に案内することができる。
【００１０】
本発明の実施態様として、次の構成が好ましい。
（１）前記当接部は、前記本体部に沿う方向について複数並列して設けられている。このようにすれば、ランプ保持具を移動させる過程において、取付部に対して当接部を摺接させる期間を十分に確保することができ、高い案内機能を得られる。
【００１１】
（２）前記当接部は、隣り合う前記当接部間の距離が、前記取付部における前記本体部に沿う方向についての寸法よりも小さくなるよう配されている。このようにすれば、少なくとも２つの当接部を同時に取付部に当接させることが可能となるので、ランプ保持具が移動過程で傾くような事態が生じ難くなり、もって高い案内機能を得られる。
【００１２】
（３）前記当接部は、前記受入部のうち互いに対向する壁にそれぞれ設けられている。このようにすれば、取付部に対して当接部を両側から当接させることができるから、高い案内機能を得られる。
【００１３】
（４）前記当接部は、互いに対向状に配されている。このようにすれば、対向状の当接部によって取付部を挟み込むことができるので、より高い案内機能を得られる。
【００１４】
（５）前記当接部及び前記取付部は、互いの当接面が並行するよう形成されている。このようにすれば、取付部に対して当接部を面当たりさせることが可能となるので、高い案内機能を得ることができる。
【００１５】
（６）前記当接部及び前記取付部は、互いの当接面が前記基部の突出方向に沿ってほぼ真っ直ぐになるよう形成されている。このようにすれば、受入部内に取付部を進入させ、当接部に対して取付部を対向させるようにすれば、取付部の進入深さに拘わらず、取付部に対して当接部を面当たりさせることができる。
【００１６】
（７）前記当接部は、前記基部の突出方向について前記受入部のほぼ全域にわたって形成されている。このようにすれば、取付部を受入部内に進入させれば、取付部に対して当接部を確実に当接させることができ、もって案内機能を確実に発揮できる。
【００１７】
（８）前記受入部は、全体として膨出端側にかけて先窄み状に形成されていて、前記シャーシから外向きに立ち上がるとともに前記シャーシに対して傾斜状をなす周壁と、前記周壁の先端に連なる底壁とから構成されており、前記当接部は、前記周壁に設けられている。このようにすれば、傾斜状をなす周壁と取付部との間にクリアランスが生じていても、周壁を部分的に内側に突出させることで形成される当接部が取付部に当接されるので、ランプ保持具の移動動作を良好に案内することができる。また、傾斜状をなす周壁を備えるとともに先窄み状をなす受入部に対して取付部を進入させ易くなるので、作業性に優れる。
【００１８】
（９）前記シャーシのうち、前記周壁と前記取付孔とに隣り合う部分には、前記取付孔に連通するスリットが形成されている。このようにすれば、傾斜状をなす周壁を所望の形状に容易に成形することができる。
【００１９】
（１０）前記スリットは、前記周壁の基端よりも拡張して形成されている。このようにすれば、シャーシから傾斜状をなす周壁を外向きに立ち上げて成形する際、シャーシのうち周壁の基端の近傍に応力が作用し難くなる。これにより、シャーシに割れが生じるなどといった問題を回避することができる。
【００２０】
（１１）前記取付部は、前記挟持部の突出方向について互いに離間した位置に一対設けられるのに対し、前記取付孔及び前記受入部は、それぞれ一対の前記取付部に対応した位置に一対ずつ設けられており、前記当接部は、一対の前記受入部にそれぞれ設けられている。このようにすれば、挟持部の突出方向について互いに離間した一対の受入部にそれぞれ設けた当接部を、対応する一対の取付部に当接させることができるので、高い案内機能を得られる。また、シャーシに対してランプ保持具が保持される箇所が挟持部の突出方向について互いに離間した２箇所になるから、取付状態をより安定化できるとともに、各受入部により漏光を抑制することができる。
【００２１】
（１２）前記取付部における前記挟持部の突出端には、前記本体部との間の距離が先端側に向けて連続的に漸次広がるガイド部が設けられている。このようにすれば、ガイド部により挟持部と本体部との間に取付孔の縁部が進入する動作がより円滑なものとなる。これにより、当接部とも相まって取り付け時のランプ保持具の移動動作をさらに円滑なものとすることができる。
【００２２】
（１３）前記本体部と前記シャーシとには、互いに凹凸嵌合することで、前記本体部に沿う方向について相互を位置決め可能な位置決め構造がそれぞれ設けられている。このようにすれば、ランプ保持具をシャーシに対して本体部に沿う方向について位置決め状態に保つことができる。
【００２３】
（１４）前記位置決め構造は、前記本体部に設けられた位置決め凸部と、前記シャーシに設けられ前記位置決め凸部を嵌合可能な位置決め凹部または位置決め孔とから構成される。このようにすれば、本体部側に設けた位置決め凸部を、シャーシ側に設けた位置決め凹部または位置決め孔に嵌合させることで、シャーシに対するランプ保持具の位置決めを図ることができる。
【００２４】
（１５）前記位置決め構造は、前記取付部が前記受入部内に配された状態では、非嵌合状態とされるのに対し、前記取付部が前記取付孔内に配された状態では、嵌合状態とされる。このようにすれば、取付部が取付孔内に配され、その挟持部と本体部との間で取付孔の縁部が挟持された状態ではじめて位置決め構造が嵌合状態となる。これにより、シャーシに取り付けたランプ保持具を安定的に保持することができる。
【００２５】
（１６）前記本体部のうち前記受入部に対して平面視重畳する部分には、前記受入部よりも幅広な幅広部が設けられている。このようにすれば、幅広部により本体部が受入部内に落ち込むのを回避することができる。これにより、ランプ保持具の取付状態をより安定化させることができる。また、仮に本体部の全体を幅広にした場合と比べて、本体部に用いる材料費を低減することができる。
【００２６】
次に、上記課題を解決するために、本発明の表示装置は、上記記載の照明装置と、前記照明装置からの光を利用して表示を行う表示パネルとを備える。
【００２７】
このような表示装置によると、表示パネルに対して光を供給する照明装置が、漏光を抑制されたものであるから、光の利用効率が高くなり、もって表示品質の優れた表示を実現することが可能となる。
【００２８】
前記表示パネルとしては液晶パネルを例示することができる。このような表示装置は液晶表示装置として、種々の用途、例えばテレビやパソコンのディスプレイ等に適用でき、特に大型画面用として好適である。
【００２９】
（発明の効果）
本発明によれば、漏光を抑制することができる。
【図面の簡単な説明】
【００３０】
【図１】本発明の実施形態１に係るテレビ受信装置の概略構成を示す分解斜視図
【図２】液晶表示装置の概略構成を示す分解斜視図
【図３】液晶表示装置を短辺方向に沿って切断した状態を表す断面図
【図４】液晶表示装置を長辺方向に沿って切断した状態を表す断面図
【図５】取付位置としたランプクリップとシャーシの断面図
【図６】シャーシにランプクリップを取り付けた状態を示す平面図
【図７】図５のvii−vii線断面図
【図８】ランプクリップの平面図
【図９】ランプクリップの底面図
【図１０】シャーシの各取付孔及び各受入部を示す平面図
【図１１】図１０のxi−xi線断面図
【図１２】図１０のxii−xii線断面図
【図１３】取外し位置としたランプクリップとシャーシの断面図
【図１４】待機位置としたランプクリップとシャーシの断面図
【図１５】図１４のxv−xv線断面図
【図１６】図１５のxvi−xvi線断面図
【図１７】図１５のxvii−xvii線断面図
【図１８】本発明の実施形態２に係る取付位置としたランプクリップとシャーシの断面図
【図１９】取外し位置としたランプクリップとシャーシの断面図
【図２０】待機位置としたランプクリップとシャーシの断面図
【符号の説明】
【００３１】
１０…液晶表示装置（表示装置）、１１…液晶パネル（表示パネル）、１２…バックライト装置（照明装置）、１４…シャーシ、１７…冷陰極管（ランプ）、１８…ランプクリップ（ランプ保持具）、２７…本体部、３０…第１取付部（取付部）、３０ａ…基部、３０ｂ…挟持部、３０ｃ…側面（当接面）、３１…第２取付部（取付部）、３１ａ…基部、３１ｂ…挟持部、３１ｃ…側面（当接面）、３２…第１取付孔、３３…第２取付孔、３６…ガイド部、３９…第１受入部（受入部）、３９ａ…周壁、３９ａａ…長辺側壁部（対向する壁）、３９ｂ…底壁、４０…第２受入部（受入部）、４０ａ…周壁、４０ａａ…長辺側壁部（対向する壁）、４０ｂ…底壁、４１…スリット、４２…幅広部、４３…当接部、４３ａ…内面（当接面）、４４…位置決め凸部（位置決め構造）、４５…位置決め孔（位置決め構造）、ＴＶ…テレビ受信装置
【発明を実施するための最良の形態】
【００３２】
＜実施形態１＞
本発明の実施形態１を図１から図１７によって説明する。【００３３】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。なお、各図面の一部にはＸ軸、Ｙ軸及びＺ軸を示しており、各軸方向が各図面で示した方向となるように描かれている。【００３４】
次に、液晶表示装置１０を構成する液晶パネル１１及びバックライト装置１２について説明する（図２ないし図４参照）。【００３５】
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが配されている（図３及び図４参照）。【００３６】
バックライト装置１２は、図２に示すように、光出射面側（液晶パネル１１側）に開口した略箱型をなすシャーシ１４と、シャーシ１４の開口部１４ｂを覆うようにして配される拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。さらに、シャーシ１４内には、冷陰極管（ランプ、光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも拡散板１５ａ側が光出射側となっている。なお、図２〜図４においてはランプクリップ１８の図示を省略している。【００３７】
シャーシ１４は、金属製とされ、矩形状の底板１４ａと、その各辺から立ち上がり略Ｕ字状に折り返された折返し外縁部２１（短辺方向の折返し外縁部２１ａ及び長辺方向の折返し外縁部２１ｂ）とからなる浅い略箱型に板金成形されている。シャーシ１４の底板１４ａには、その長辺方向の両端部に、中継コネクタ１９を取り付けるためのコネクタ取付孔２２が複数穿設されている。さらに、シャーシ１４の折返し外縁部２１ｂの上面には、図３に示すように、固定孔１４ｃが穿設されており、例えばネジ等によりベゼル１３、フレーム１６、及びシャーシ１４等を一体化することが可能とされている。【００３８】
シャーシ１４の底板１４ａの内面側（冷陰極管１７や拡散板１５ａと対向する面側、表面側）には、反射シート２３が配設されている。反射シート２３は、合成樹脂製とされ、その表面が反射性に優れた白色とされており、シャーシ１４の底板面に沿ってそのほぼ全域を覆うように敷かれている。この反射シート２３が、シャーシ１４において冷陰極管１７から発せられた光を拡散板１５ａ側へ反射させる反射面を構成している。当該反射シート２３の長辺縁部は、図３に示すように、シャーシ１４の折返し外縁部２１ｂを覆うように立ち上がり、シャーシ１４と拡散板１５ａとに挟まれた状態とされている。この反射シート２３により、冷陰極管１７から出射された光を拡散板１５ａ側に反射させることが可能となっている。【００３９】
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２参照）。なお、冷陰極管１７は、シャーシ１４の底板１４ａ（反射シート２３）から僅かに浮いた状態とされており、その各端部が中継コネクタ１９に嵌め込まれ、これら中継コネクタ１９を被覆するようにホルダ２０が取り付けられている。【００４０】
ホルダ２０は、白色を呈する合成樹脂製とされ、冷陰極管１７の端部を覆い、シャーシ１４の短辺方向に沿って延びる細長い略箱型をなしている。当該ホルダ２０は、図４に示すように、その表面側に拡散板１５ａないし液晶パネル１１を段違いに載置可能な階段状面を有するとともに、シャーシ１４の短辺方向の折返し外縁部２１ａと一部重畳した状態で配されており、折返し外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の折返し外縁部２１ａの上面に形成された挿入孔２５に挿入されることで、当該ホルダ２０はシャーシ１４に取り付けられるものとされている。【００４１】
ホルダ２０の階段状面はシャーシ１４の底板面と平行な３面からなり、最も低い位置にある第１面２０ａには拡散板１５ａの短辺縁部が載置されている。さらに、第１面２０ａからは、シャーシ１４の底板面に向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の折返し外縁部２１ａと重畳する位置に配され、ベゼル１３と接触するものとされている。【００４２】
拡散板１５ａは、合成樹脂製の板状部材に光散乱粒子が分散配合されてなり、管状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、図３に示すように、シャーシ１４（反射シート２３）とフレーム１６とに挟まれることで固定されている。【００４３】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。【００４４】
ここで、ランプクリップ１８について説明する。ランプクリップ１８は、シャーシ１４の底板１４ａの面内において複数分散した位置に設置される。各ランプクリップ１８は、合成樹脂製（例えばポリカーボネート製）で、表面が光の反射性に優れた白色とされており、図５に示すように、シャーシ１４の底板１４ａ（反射シート２３）に沿って延在する略板状をなし平面視略矩形の本体部２７を備える。ランプクリップ１８は、シャーシ１４に対して、本体部２７の長さ方向（長辺方向）がＹ軸方向と一致した姿勢（向き、状態）、つまりシャーシ１４の短辺方向とほぼ平行な姿勢、言い換えると冷陰極管１７の軸方向（長さ方向、Ｘ軸方向）と直交し且つシャーシ１４の底板１４ａの板面に沿う方向とほぼ平行な姿勢で取り付けられる。なお、以下では、Ｚ軸方向について図５に示す上側を表側とし、逆の下側を裏側として説明する。【００４５】
本体部２７における表側の面（拡散板１５ａ及び冷陰極管１７との対向面、シャーシ１４側とは反対側の面）には、図５及び図８に示すように、冷陰極管１７を所定高さ位置に支持可能なランプ把持部２８と、拡散板１５ａを冷陰極管１７よりも高い位置に支持可能な支持ピン２９とがそれぞれ設けられている。ランプ把持部２８は、本体部２７の長さ方向（Ｙ軸方向）について離間した位置に３つ並んで設置されており、それぞれが異なる冷陰極管１７を把持する。ランプ把持部２８は、本体部２７から表側へ立ち上がる一対の片持ち状のアーム部２８ａを有し、両アーム部２８ａの先端部内面からは内向きに突出する支持突部２８ｂがそれぞれ設けられている。また、ランプ把持部２８の内面のうち底面にも同様の支持突部２８ｂが１つ設けられている。ランプ把持部２８は、これら支持突部２８ｂにより冷陰極管１７を三点支持できるようになっており、冷陰極管１７の外周面とランプ把持部２８の内周面との間には、光を導出させるための隙間が保有されている。各ランプ把持部２８の配列ピッチは、ほぼ同一とされ、シャーシ１４内に並ぶ各冷陰極管１７の配列ピッチと一致している。その一方、支持ピン２９は、本体部２７の長さ方向について、図５に示す左端のランプ把持部２８と、中央のランプ把持部２８とのほぼ中間位置に配されている。この支持ピン２９は、ランプ把持部２８よりもさらに表側へ突出しており、ランプクリップ１８において最も高く突出する部位であるから、ランプクリップ１８をシャーシ１４に対して着脱する際には、作業者が把持して着脱操作を行う操作部として利用可能となっている。また、本体部２７の表側の面には、Ｙ軸方向に沿って延出するとともに各ランプ把持部２８に連なる形態の補強リブ３７が設けられている。【００４６】
一方、本体部２７における裏側の面（シャーシ１４及び反射シート２３との対向面、拡散板１５ａ及び冷陰極管１７側とは反対側の面）には、図５及び図９に示すように、ランプクリップ１８をシャーシ１４に対して取付状態に保持するための取付構造をなす取付部３０，３１が２つ設けられている。両取付部３０，３１は、本体部２７における長さ方向に離間した位置に配されている。これに対し、シャーシ１４の底板１４ａにおける各ランプクリップ１８の取付予定位置には、ランプクリップ１８の取付構造をなす取付孔３２，３３が２つずつ設けられている。各取付孔３２，３３には、対応するランプクリップ１８の各取付部３０，３１が挿入可能とされる。反射シート２３には、シャーシ１４の各取付孔３２，３３に連通するとともに各取付部３０，３１を挿通可能な挿通孔３４，３５が２つずつ設けられている。なお、各取付部３０，３１を区別するため、図５に示す右側から順に第１取付部３０、第２取付部３１とする。同様に、各取付孔３２，３３及び各挿通孔３４，３５をそれぞれ区別するため、図５に示す右側から順にそれぞれ第１取付孔３２及び第１挿通孔３４、第２取付孔３３及び第２挿通孔３５とする。また、本体部２７の裏側の面には、Ｘ軸方向に沿って延出する形態の補強リブ３８が４本所定位置に並んで設けられている。表裏の補強リブ３７，３８は、互いに直交しており、それにより本体部２７の強度の向上が図られている。【００４７】
次に、上記したシャーシ１４に対するランプクリップ１８の取付構造について詳細に説明する。まず、取付構造の概略を取り付け方法と共に簡単に説明すると、各取付部３０，３１は、図５に示すように、本体部２７の裏面（板面）に沿って延びるフック状をなしており、その取付部３０，３１をシャーシ１４及び反射シート２３の取付孔３２，３３及び挿通孔３４，３５に挿入してシャーシ１４の裏側に突出させ、その状態でランプクリップ１８を本体部２７の長さ方向（Ｙ軸方向、シャーシ１４の底板１４ａの板面方向）に沿ってスライドさせることで、取付部３０，３１と本体部２７との間でシャーシ１４及び反射シート２３を挟持できるようになっている（図１３及び図１４参照）。このようにシャーシ１４に対するランプクリップ１８のスライド方向は、Ｙ軸方向と一致している。続いて、取付部３０，３１、取付孔３２，３３及び挿通孔３４，３５の詳しい構造について順次に説明する。【００４８】
第１取付部３０及び第２取付部３１は、図９に示すように、平面に見て矩形状をなしており、その長さ方向（長辺方向）及び幅方向（短辺方向）が本体部２７と一致している。第１取付部３０及び第２取付部３１におけるＸ軸方向についての両側面３０ｃ，３１ｃは、Ｚ軸方向及びＹ軸方向に沿って真っ直ぐな面となっている。また、第１取付部３０及び第２取付部３１は、本体部２７における幅方向のほぼ中央位置に設置されている。詳しくは、第１取付部３０及び第２取付部３１は、図５に示すように、本体部２７の裏面から裏側（シャーシ１４側）へ突出する基部３０ａ，３１ａと、基部３０ａ，３１ａの先端から本体部２７に沿う向きに突出する挟持部３０ｂ，３１ｂとをそれぞれ備え、正面から見て略Ｌ字型をなしている。各基部３０ａ，３１ａは、本体部２７からＺ軸方向、つまり本体部２７の板面に対して直交する方向に突出している。言い換えると、各基部３０ａ，３１ａは、本体部２７からほぼ垂直に立ち上がっている。各基部３０ａ，３１ａは、図７に示すように、本体部２７に沿って切断したときの断面形状が矩形状をなしており、その短辺方向がＹ軸方向と、長辺方向がＸ軸方向とそれぞれ一致している。【００４９】
第１取付部３０を構成する基部３０ａは、図５に示すように、本体部２７のうち図５に示す右端のランプ把持部２８、つまり支持ピン２９側とは反対側の端に配されたランプ把持部２８の裏側（背面側）に位置している。また、第１取付部３０を構成する挟持部３０ｂは、基部３０ａから支持ピン２９側とは反対側へ向けて突出するとともにその先端部が本体部２７の図５に示す右側端部、つまり取付方向の前端部よりも内側に引っ込むような長さを有している。一方、第２取付部３１を構成する基部３１ａは、本体部２７のうち図５に示す左端のランプ把持部２８、つまり支持ピン２９側の端に配されたランプ把持部２８の裏側（背面側）に位置している。つまり、第２取付部３１は、本体部２７の長さ方向について第１取付部３０に対して支持ピン２９を挟んだ反対側に配されていることになる。第２取付部３１を構成する挟持部３１ｂは、基部３１ａから支持ピン２９側へ向けて延在するとともに、その長さ寸法が第１取付部３０の挟持部３０ｂよりも大きくなっている。【００５０】
各挟持部３０ｂ，３１ｂは、図５に示すように、基部３０ａ，３１ａの先端部から本体部２７の長さ方向（Ｙ軸方向）に沿って図５に示す右方向へ突出する片持ちの板片状に形成されている。ランプクリップ１８をシャーシ１４に取り付ける際のスライド方向、つまり取付方向は、各挟持部３０ｂ，３１ｂにおける各基部３０ａ，３１ａからの突出方向（図５に示す右方向）と一致しており、逆にランプクリップ１８をシャーシ１４から取り外す際のスライド方向、つまり取り外し方向は、各挟持部３０ｂ，３１ｂにおける各基部３０ａ，３１ａからの突出方向とは逆方向（図５に示す左方向）と一致している。各挟持部３０ｂ，３１ｂは、各基部３０ａ，３１ａの先端からほぼ直角に屈曲されて本体部２７と平行に延び且つ本体部２７と対向している。各挟持部３０ｂ，３１ｂは、基部３０ａ，３１ａに連なる突出基端を支点にしてＺ軸方向、つまり基部３０ａ，３１ａからの突出方向と交差する方向について弾性変形（弾性変位）可能とされる。各挟持部３０ｂ，３１ｂは、弾性変形に伴って本体部２７に対して接離するよう変位されるようになっている。各挟持部３０ｂ，３１ｂと本体部２７との間の間隔は、シャーシ１４の厚さと反射シート２３の厚さとを足した大きさとほぼ同じか、それよりも大きくなっている。各挟持部３０ｂ，３１ｂは、図９に示すように、平面に見て矩形状をなしており、その長辺方向がＹ軸方向（スライド方向）と、短辺方向がＸ軸方向とそれぞれ一致している。また、各挟持部３０ｂ，３１ｂ及び各基部３０ａ，３１ａにおけるＸ軸方向についての寸法（取付部３０，３１における短辺寸法（幅寸法））は、ほぼ同じとなっている。【００５１】
第１取付部３０及び第２取付部３１の挟持部３０ｂ，３１ｂの先端（突出端）には、シャーシ１４への取り付け動作をガイド可能なガイド部３６がそれぞれ設けられている。ガイド部３６は、挟持部３０ｂに対して鈍角をなすよう屈曲されており、先端側に行くに連れて本体部２７から離れるような勾配をもって傾斜状に形成されている。言い換えると、ガイド部３６は、本体部２７との間の距離が先端側に向けて連続的に漸次増加する形態とされる。ガイド部３６は、厚さ寸法が全長にわたってほぼ一定とされる。なお、各ガイド部３６の突出寸法は、第１取付部３０に設けられたガイド部３６の方が、第２取付部３１に設けられたガイド部３６よりも大きくなるよう設定されている。従って、第１取付部３０のガイド部３６における先端と本体部２７との間の隙間、つまり第１取付孔３２の縁部に対する導入間口は、第２取付部３１のガイド部３６における先端と本体部２７との間の隙間、つまり第２取付孔３３の縁部に対する導入間口よりも大きくなっている。【００５２】
続いて、シャーシ１４に形成された第１取付孔３２及び第２取付孔３３について説明する。第１取付孔３２及び第２取付孔３３は、図５及び図１０に示すように、対応する第１取付部３０及び第２取付部３１をシャーシ１４の裏側外部へ通すことが可能となるよう、底板１４ａを貫通して形成されている。第１取付孔３２及び第２取付孔３３は、幅寸法（Ｘ軸方向の寸法）が対応する第１取付部３０及び第２取付部３１とほぼ同じかそれよりも大きく設定されている。これにより、各取付部３０，３１の基部３０ａ，３１ａにおけるＸ軸方向の両側面３０ｃ，３１ｃが、各取付孔３２，３３の内面に対して当接可能とされる。【００５３】
そして、シャーシ１４のうち、第１取付孔３２及び第２取付孔３３に対して図５に示す左側に隣接する部分、つまり各取付部３０，３１の各挟持部３０ｂ，３１ｂにより挟持される各取付孔３２，３３の縁部とは反対側に隣接する部分には、裏側外部へ膨出する形態で、各取付部３０，３１を受け入れ可能な受入部３９，４０がそれぞれ設けられている。各受入部３９，４０は、シャーシ１４の内側（Ｚ軸方向の表側）及び対応する各取付孔３２，３３側（Ｙ軸方向の右側）に向けて開口する略袋状をなすとともに、各取付部３０，３１を表側からＺ軸方向に沿って出し入れ可能で且つ各取付部３０，３１を図５に示す右側からＹ軸方向に沿って出し入れ可能とされる。これにより、ランプクリップ１８は、各取付部３０，３１がシャーシ１４の底板１４ａから完全に外れた取外し位置（図１３）と、各取付部３０，３１が各受入部３９，４０内に進入し各取付孔３２，３３からは退出した待機位置（図１４）と、各取付部３０，３１が各受入部３９，４０からは退出し各取付孔３２，３３内に進入した取付位置（図５）との３位置間をＺ軸方向またはＹ軸方向に沿って順次に且つ可逆的に移動可能とされている。なお、各受入部３９，４０を区別するため、図５に示す右側から順に第１受入部３９、第２受入部４０とする。【００５４】
第１受入部３９及び第２受入部４０は、図１０に示すように、第１取付部３０及び第２取付部３１と同様に平面に視て略矩形状をなしており、その長辺方向及び短辺方向が対応する各取付部３０，３１のそれと一致している。各受入部３９，４０は、図５及び図１１に示すように、シャーシ１４の底板１４ａから裏側外部へ向けて立ち上がる周壁３９ａ，４０ａと、周壁３９ａ，４０ａの先端に連なる底壁３９ｂ，４０ｂとから構成されており、このうち周壁３９ａ，４０ａが傾斜状に形成されることで、全体が膨出端にかけて先窄み状に形成されている。詳しくは、周壁３９ａ，４０ａは、Ｙ軸方向（長辺方向、ランプクリップ１８のスライド方向）に沿った一対の長辺側壁部３９ａａ，４０ａａと、両長辺側壁部３９ａａ，４０ａａのうち各取付孔３２，３３側とは反対側の端部同士を繋ぐＸ軸方向（短辺方向）に沿った短辺側壁部３９ａｂ，４０ａｂとから構成される。そして、両長辺側壁部３９ａａ，４０ａａ及び底壁３９ｂ，４０ｂのうち短辺側壁部３９ａｂ，４０ａｂとは反対側の端部が各取付孔３２，３３へ向けて開口する開口部の開口縁となっている。周壁３９ａ，４０ａは、シャーシ１４の底板１４ａに対して鈍角をなすよう傾斜しており、それにより受入部３９，４０は、その長辺寸法及び短辺寸法が膨出端側（裏側）に行くに従って連続的に漸次減少する、先窄み状をなしている。逆に言うと、受入部３９，４０の内部空間は、周壁３９ａ，４０ａの基端側（表側）に行くに従って連続的に漸次増加する、末広がり状をなしている。これにより、ランプクリップ１８を取外し位置から待機位置へ至らせるにあたり、各取付部３０，３１を各受入部３９，４０内に進入させ易くなっている。【００５５】
また、各受入部３９，４０における周壁３９ａ，４０ａのうち両長辺側壁部３９ａａ，４０ａａの先端部間の間隔、つまり底壁３９ｂ，４０ｂの幅寸法（Ｘ軸方向の寸法）は、図１０に示すように、各取付部３０，３１及び各取付孔３２，３３の幅寸法とほぼ同じに設定されている。また、各受入部３９，４０の深さ寸法、つまりシャーシ１４の底板１４ａにおける表側の面から、底壁３９ｂ，４０ｂの内面までの距離は、図５に示すように、各取付部３０，３１における本体部２７からの突出寸法とほぼ同じに設定されている。また、底壁３９ｂ，４０ｂは、取付状態においてランプクリップ１８の本体部２７に対して対向状をなす。【００５６】
この受入部３９，４０は、傾斜状をなす周壁３９ａ，４０ａを有しているため、その最大の幅寸法、つまり両長辺側壁部３９ａａ，４０ａａの立ち上がり基端間の間隔が、図１０に示すように、各取付部３０，３１及び各取付孔３２，３３の幅寸法よりも、両長辺側壁部３９ａａ，４０ａａの分だけ大きくなっている。従って、シャーシ１４の底板１４ａから立ち上がる形態の周壁３９ａ，４０ａを成形するためにも、底板１４ａのうち各周壁３９ａ，４０ａと各取付孔３２，３３とに隣り合う部分（境界部分）には、各取付孔３２，３３に連通するスリット４１がそれぞれ形成されている。【００５７】
上記したように受入部３９，４０を構成する周壁３９ａ，４０ａを傾斜状に形成しているのは、各取付部３０，３１を各受入部３９，４０内に進入させ易くするためでもあるが、それ以外にも製造上の理由に因る。すなわち、シャーシ１４の製造工程において底板１４ａに部分的に受入部３９，４０を成形するには、底板１４ａに対して絞り加工を施すようにしている。この絞り加工を効率的に行うには、周壁３９ａ，４０ａを既述したような傾斜状にするのが好ましく、それによりシャーシ１４の生産効率の向上が図られている。ところで、絞り加工により周壁３９ａ，４０ａを成形する際には、その立ち上がり基端と底板１４ａとの境界部分に応力が集中することが懸念されるため、本実施形態では、そのような応力集中を緩和すべく、上記したスリット４１が周壁３９ａ，４０ａにおける両長辺側壁部３９ａａ，４０ａａの立ち上がり基端よりも外側に拡張して形成されている。詳しくは、スリット４１は、両長辺側壁部３９ａａ，４０ａａの立ち上がり基端よりもＸ軸方向について外側に深く切り込んだ形態とされている。【００５８】
このようにシャーシ１４の底板１４ａに各受入部３９，４０を形成することにより、ランプクリップ１８をシャーシ１４の底板１４ａに対して待機位置に配することが可能となっている。ここで、仮に受入部として取付孔３２，３３に連続した開口を形成した場合には、その開口は平面に視て取付部３０，３１と同等の大きさとなる。これに比べると、本実施形態では、底板１４ａに形成される開口が取付孔３２，３３のみであり、その開口面積は取付部３０，３１を平面に視た大きさよりも十分に小さくなっている。つまり、底板１４ａの開口面積は、略袋状をなす受入部３９，４０を設けた分だけ小さくなっており、言い換えると、取付部３０，３１をシャーシ１４の裏側外部へ突出させるのに必要な最小限の大きさに留められている。これにより、冷陰極管１７から発せられた光がある割合でもってランプクリップ１８を透過したとしても、シャーシ１４の底板１４ａの開口（取付孔３２，３３）から裏側外部へ漏れ出すのを最小限に抑制することができる。【００５９】
ところで、各受入部３９，４０は、既述した通り傾斜状の周壁３９ａ，４０ａを有するとともに各取付部３０，３１よりも平面に視て大きくなるよう形成されており、その形成範囲についてはランプクリップ１８の本体部２７に対してシャーシ１４の底板１４ａ（反射シート２３）が当接しなくなる。そこで、ランプクリップ１８における本体部２７のうち各受入部３９，４０に対応する部分には、図６に示すように、各受入部３９，４０よりも幅寸法が大きな幅広部４２が形成されている。詳しくは、ランプクリップ１８を取付位置とした状態で、本体部２７のうち各受入部３９，４０に対して平面視重畳する部分は、他の部分よりも相対的に幅寸法が大きな幅広部４２となっている。これにより、取付位置において本体部２７が受入部３９，４０内に落ち込むような事態を回避でき、取付状態の安定化を図ることが可能とされる。【００６０】
ここで、本実施形態に係るランプクリップ１８は、その着脱時のスライド動作を案内することを目的として、各受入部３９，４０には、その一部を内側へ突出させることで、各受入部３９，４０内に進入する取付部３０，３１に対して当接可能な当接部４３がそれぞれ形成されている。詳しくは、当接部４３は、図５及び図１０に示すように、各受入部３９，４０における周壁３９ａ，４０ａのうちＹ軸方向、つまりランプクリップ１８のスライド方向（本体部２７に沿う方向）に沿った長辺側壁部３９ａａ，４０ａａを部分的に内側へ叩き出して突出させることで形成されている。つまり、シャーシ１４の製造工程では、底板１４ａに絞り加工を施すことで、底壁３９ｂ，４０ｂから外側へ膨出する各受入部３９，４０を成形した後、各受入部３９，４０のうち傾斜状をなす周壁３９ａ，４０ａの長辺側壁部３９ａａ，４０ａａに対して叩き加工を施すことで、長辺側壁部３９ａａ，４０ａａにおいて部分的に内側へ突出する当接部４３を成形している。従って、絞り加工により成形される各受入部３９，４０の各壁部３９ａ，３９ｂ，４０ａ，４０ｂと、叩き加工により成形される当接部４３とを比べると、当接部４３の方が寸法精度を正確に出すことができる。【００６１】
当接部４３は、各受入部３９，４０のうち互いに対向する一対の長辺側壁部３９ａａ，４０ａａのそれぞれに形成されており、各長辺側壁部３９ａａ，４０ａａに形成された当接部４３同士が互いに対向状をなすよう配されている。各長辺側壁部３９ａａ，４０ａａにおいて当接部４３は、Ｙ軸方向について３つずつ並んで設けられている。Ｙ軸方向について隣り合う当接部４３間の距離は、取付部３０，３１におけるＹ軸方向についての寸法よりも小さくなる設定とされる。詳しくは、各当接部４３間のＹ軸方向についての距離と、各当接部４３のＹ軸方向についての寸法とを足し合わせても、各取付部３０，３１におけるＹ軸方向についての寸法に満たない設定とされる。つまり、各当接部４３間の上記距離は、各取付部３０，３１の上記寸法の半分以下とされるとともに、各当接部４３の上記寸法は、各取付部３０，３１の上記寸法の１／３以下とされる。【００６２】
当接部４３は、図１０及び図１２に示すように、その内面４３ａがＺ軸方向及びＹ軸方向に沿って真っ直ぐな面となるよう形成されている。この当接部４３の内面４３ａは、取付部３０，３１が受入部３９，４０内に進入した状態では、取付部３０，３１の側面３０ｃ，３１ｃと対向し且つ当接される当接面となっている。そして、互いに当接される当接部４３の内面４３ａと取付部３０，３１の側面３０ｃ，３１ｃとは、互いに並行するとともに面当たり可能とされる。当接部４３は、Ｚ軸方向、つまり本体部２７からの基部３０ａ，３１ａの突出方向について受入部３９，４０のほぼ全域にわたって形成されている。当接部４３の内面４３ａは、Ｘ軸方向についての位置が、受入部３９，４０における長辺側壁部３９ａａ，４０ａａと底壁３９ｂ，４０ｂとの境界位置とほぼ一致している。つまり、互いに対向する当接部４３間の間隔は、取付部３０，３１の幅寸法及び底壁３９ｂ，４０ｂの幅寸法とほぼ同じか、それより少し大きくなるよう設定されている。また、互いに対向する当接部４３の内面４３ａ間の間隔は、Ｚ軸方向及びＹ軸方向について全域にわたって一定とされる。なお、上記した形態の当接部４３の内面４３ａは、受入部３９，４０における長辺側壁部３９ａａ，４０ａａの傾斜状をなす内面との間には、段差が生じている。【００６３】
ところで、本実施形態に係るランプクリップ１８の本体部２７とシャーシ１４の底板１４ａとには、図５に示すように、互いに凹凸嵌合することで、Ｘ軸方向及びＹ軸方向、つまり本体部２７（シャーシ１４の底板１４ａ）の板面に沿う方向について相互を位置決め可能な位置決め構造が設けられている。詳しくは、本体部２７における裏側の面には、裏側へ突出する位置決め凸部４４が設けられるのに対し、シャーシ１４の底板１４ａには、位置決め凸部４４を嵌合可能な位置決め孔４５が貫通して設けられている。位置決め凸部４４は、Ｙ軸方向について本体部２７のうち第１取付部３０と、第２取付部３１との間に配されており、別言すると中央のランプ把持部２８の直下位置に配されている。位置決め凸部４４の突出寸法は、シャーシ１４の底板１４ａの板厚よりもやや大きくなるよう設定されている。位置決め凸部４４は、平面に視て円形状をなしている（図９）。一方、位置決め孔４５は、位置決め凸部４４に適合するよう平面に視て円形状に形成されており、その径寸法は位置決め凸部４４に対して僅かなクリアランスを保有する程度とされる（図１０）。位置決め凸部４４及び位置決め孔４５は、ランプクリップ１８がシャーシ１４に対して待機位置に配された状態（取付部３０，３１が受入部３９，４０内に配された状態）では、互いに整合せず非嵌合状態とされるものの（図１５）、ランプクリップ１８がシャーシ１４に対して取付位置に配された状態（取付部３０，３１が取付孔３２，３３内に配された状態）では、互いに整合して嵌合状態とされる（図７）。【００６４】
また、反射シート２３に形成された第１挿通孔３４及び第２挿通孔３５について説明する。第１挿通孔３４は、図５に示すように、第１取付孔３２及び第１受入部３９を一括して取り囲むことができる大きさとされ、第１取付孔３２及び第１受入部３９に対する第１取付部３０の進入を許容している。一方、第２挿通孔３５は、第２取付孔３３及び第２受入部４０を一括して取り囲むことができる大きさとされ、第２取付孔３３及び第２受入部４０に対する第２取付部３１の進入を許容している。また、反射シート２３には、位置決め凸部４４を挿通可能な位置決め凸部用挿通孔４６が位置決め孔４５と整合する位置に設けられている。【００６５】
本実施形態は以上のような構造であり、続いてその作用を説明する。バックライト装置１２の製造工程のうち、特にシャーシ１４に対するランプクリップ１８の取り付け工程について詳しく説明する。【００６６】
シャーシ１４内に反射シート２３を敷設した後、各ランプクリップ１８を底板１４ａにおける対応する位置に取り付けるようにする。取り付けに際しては、作業者はランプクリップ１８のうち最も表側に突出した部位である操作部２９を把持することが可能とされる。ランプクリップ１８を図１３に示す取外し位置において、第１取付部３０を第１受入部３９に、第２取付部３１を第２受入部４０にそれぞれ平面視重畳するよう位置合わせしつつ、ランプクリップ１８をシャーシ１４の底板１４ａに対して接近するよう表側からＺ軸方向に沿って押し込む。すると、第１取付部３０が第１受入部３９内に、第２取付部３１が第２受入部４０内に進入する。このとき、各取付部３０，３１の側面３０ｃ，３１ｃは、各受入部３９，４０の周壁３９ａ，４０ａである両長辺側壁部３９ａａ，４０ａａに対しては、非接触とされ間に所定のクリアランスが空けられているものの（図１６）、両当接部４３に対しては、面接触した状態とされる（図１７）。【００６７】
そして、ランプクリップ１８が待機位置まで押し込まれると、図１４に示すように、位置決め凸部４４が位置決め孔４５とは整合せず、反射シート２３（底板１４ａ）に当接するため、本体部２７が反射シート２３から位置決め凸部４４の突出寸法分だけ浮き上がった状態（段差が生じた状態）となる。この状態では、各取付部３０，３１が各受入部３９，４０に対して部分的に進入しており、詳しくは挟持部３０ｂ，３１ｂのうち裏側半分強の領域が各受入部３９，４０内に進入するとともに図１４に示す左側の２つの当接部４３に対して同時に当接している。この当接部４３は、叩き出し加工により高い寸法精度でもって成形されているので、各取付部３０，３１に対して確実に面接触される。【００６８】
この状態では、本体部２７と各取付部３０，３１の挟持部３０ｂ，３１ｂとの間の隙間が各取付孔３２，３３の縁部とは整合せず、挟持部３０ｂ，３１ｂが各取付孔３２，３３の縁部に対してＹ軸方向について対向する位置関係となり得る。ところが、各取付部３０，３１の挟持部３０ｂ，３１ｂにおける突出端には、それぞれガイド部３６が設けられており、ガイド部３６の先端と本体部２７との間の間口が十分に確保されている。従って、待機位置のランプクリップ１８を図１４に示す矢線方向、つまりＹ軸方向に沿って取付位置へ向けてスライドさせても、各ガイド部３６によって各挟持部３０ｂ，３１ｂが円滑に各取付孔３２，３３の縁部の裏側へとガイドされる。このとき、各挟持部３２，３３は、拡開しつつ弾性変形されて本体部２７から離れる方向（裏側）へ変位される。【００６９】
ランプクリップ１８を待機位置から取付位置へ向けて移動させる過程では、Ｙ軸方向、つまりスライド方向について互いに離間した位置に配された第１取付部３０の側面３０ｃと、第２取付部３１の側面３１ｃとに、それぞれ第１受入部３９の各当接部４３の内面４３ａと、第２受入部４０の各当接部４３の内面４３ａとがそれぞれ摺接されることになるので、スライド動作を円滑に案内することができる。ここで、当接部４３は、各受入部３９，４０においてＹ軸方向（スライド方向）について３つずつ並列して配されるとともに、Ｙ軸方向について隣り合う当接部４３間の距離が取付部３０，３１の長さ寸法よりも小さくなっているから、移動過程において最低限２組の当接部４３（Ｘ軸方向に対向する一対の当接部４３を１組とする）を各取付部３０，３１に対して常時当接させることができる。しかも、当接部４３は、互いに対向状に配されるとともに各取付部３０，３１をＸ軸方向（本体部２７に沿い且つスライド方向と直交する方向）について外側から挟み込んでいる。従って、ランプクリップ１８をＹ軸方向について傾くことなくほぼ真っ直ぐに円滑にスライドさせることができる。【００７０】
そして、ランプクリップ１８が取付位置に達すると、図５及び図７に示すように、各挟持部３０ｂ，３１ｂが弾性復帰するとともに各挟持部３０ｂ，３１ｂと本体部２７との間に各取付孔３２，３３の縁部が挟持されるとともに、位置決め凸部４４が位置決め孔４５内に嵌合される。この取付状態では、各取付孔３２，３３の縁部が本体部２７と各挟持部３０ｂ，３１ｂとの間で挟持されることで、ランプクリップ１８がＺ軸方向について不用意に移動するのが規制されるとともに、位置決め凸部４４及び位置決め孔４５が凹凸嵌合されることで、ランプクリップ１８がＸ軸方向及びＹ軸方向について不用意に移動するのが規制される。これにより、取付状態としたランプクリップ１８を安定的に固定することができる。また、この取付状態では、図６に示すように、本体部２７のうち各受入部３９，４０に対して平面視重畳する部分が幅広部４２となっており、幅広部４２がシャーシ１４の底板１４ａ（反射シート２３）に対して確実に当接した状態に保たれているから、本体部２７が各受入部３９，４０に落ち込むようなことが回避され、取付状態の安定化に資する。【００７１】
以上説明したように本実施形態のバックライト装置１２は、取付孔３２，３３を有するシャーシ１４と、シャーシ１４内に配される冷陰極管１７と、取付孔３２，３３によってシャーシ１４に取り付けられるとともに冷陰極管１７を保持可能なランプクリップ１８とを備え、ランプクリップ１８は、シャーシ１４内に配される本体部２７と、本体部２７から取付孔３２，３３を通してシャーシ１４外に突出する基部３０ａ，３１ａと、基部３０ａ，３１ａから本体部２７に沿う向きに突出するとともに本体部２７との間で取付孔３２，３３の縁部を挟持可能な挟持部３０ｂ，３１ｂとからなる取付部３０，３１とを有する一方、シャーシ１４は、取付孔３２，３３に対して挟持部３０ｂ，３１ｂにより挟持される縁部とは反対側に隣接する部分を外側へ膨出させることで形成され、取付部３０，３１を受け入れ可能な受入部３９，４０と、受入部３９，４０を部分的に内側へ突出させることで形成され、取付部３０，３１に当接可能な当接部４３とを有する。【００７２】
シャーシ１４にランプクリップ１８を取り付けるには、取付部３０，３１を受入部３９，４０内に進入させた状態から、基部３０ａ，３１ａからの挟持部３０ｂ，３１ｂの突出方向へ向けてランプクリップ１８を移動させる。すると、基部３０ａ，３１ａ及び挟持部３０ｂ，３１ｂが取付孔３２，３３を通してシャーシ１４外に突出するとともに挟持部３０ｂ，３１ｂと本体部２７との間で取付孔３２，３３の縁部が挟持されることで、ランプクリップ１８がシャーシ１４に取り付けられる。取付部３０，３１を受け入れる受入部３９，４０は、シャーシ１４を部分的に外側へ膨出させることで形成されているので、仮に受入部として取付孔３２，３３に連続した開口を形成した場合と比べると、シャーシ１４における開口面積を小さくすることができる。これにより、シャーシ１４外に光が漏れ出すのを抑制することができる。【００７３】
しかも、取付部３０，３１が受入部３９，４０内に進入した状態では、受入部３９，４０を部分的に内側に突出させてなる当接部４３が取付部３０，３１に当接されるので、その状態からランプクリップ１８を挟持部３０ｂ，３１ｂの突出方向へ移動させると、当接部４３が取付部３０，３１に摺接され、もってランプクリップ１８の移動動作を円滑に案内することができる。【００７４】
また、当接部４３は、本体部２７に沿う方向について複数並列して設けられている。このようにすれば、ランプクリップ１８を移動させる過程において、取付部３０，３１に対して当接部４３を摺接させる期間を十分に確保することができ、高い案内機能を得られる。【００７５】
また、当接部４３は、隣り合う当接部４３間の距離が、取付部３０，３１における本体部２７に沿う方向についての寸法よりも小さくなるよう配されている。このようにすれば、少なくとも２つの当接部４３を同時に取付部３０，３１に当接させることが可能となるので、ランプクリップ１８が移動過程で傾くような事態が生じ難くなり、もって高い案内機能を得られる。【００７６】
また、当接部４３は、受入部３９，４０のうち互いに対向する壁である両長辺側壁部３９ａａ，４０ａａにそれぞれ設けられている。このようにすれば、取付部３０，３１に対して当接部４３を両側から当接させることができるから、高い案内機能を得られる。【００７７】
また、当接部４３は、互いに対向状に配されている。このようにすれば、対向状の当接部４３によって取付部３０，３１を挟み込むことができるので、より高い案内機能を得られる。【００７８】
また、当接部４３及び取付部３０，３１は、互いの当接面（内面４３ａ及び側面３０ｃ）が並行するよう形成されている。このようにすれば、取付部３０，３１に対して当接部４３を面当たりさせることが可能となるので、高い案内機能を得ることができる。【００７９】
また、当接部４３及び取付部３０，３１は、互いの当接面が基部３０ａ，３１ａの突出方向に沿ってほぼ真っ直ぐになるよう形成されている。このようにすれば、受入部３９，４０内に取付部３０，３１を進入させ、当接部４３に対して取付部３０，３１を対向させるようにすれば、取付部３０，３１の進入深さに拘わらず、取付部３０，３１に対して当接部４３を面当たりさせることができる。【００８０】
また、当接部４３は、基部３０ａ，３１ａの突出方向について受入部３９，４０のほぼ全域にわたって形成されている。このようにすれば、取付部３０，３１を受入部３９，４０内に進入させれば、取付部３０，３１に対して当接部４３を確実に当接させることができ、もって案内機能を確実に発揮できる。【００８１】
また、受入部３９，４０は、全体として膨出端側にかけて先窄み状に形成されていて、シャーシ１４から外向きに立ち上がるとともにシャーシ１４に対して傾斜状をなす周壁３９ａ，４０ａと、周壁３９ａ，４０ａの先端に連なる底壁３９ｂ，４０ｂとから構成されており、当接部４３は、周壁３９ａ，４０ａに設けられている。このようにすれば、傾斜状をなす周壁３９ａ，４０ａと取付部３０，３１との間にクリアランスが生じていても、周壁３９ａ，４０ａを部分的に内側に突出させることで形成される当接部４３が取付部３０，３１に当接されるので、ランプクリップ１８の移動動作を良好に案内することができる。また、傾斜状をなす周壁３９ａ，４０ａを備えるとともに先窄み状をなす受入部３９，４０に対して取付部３０，３１を進入させ易くなるので、作業性に優れる。【００８２】
また、シャーシ１４のうち、周壁３９ａ，４０ａと取付孔３２，３３とに隣り合う部分には、取付孔３２，３３に連通するスリット４１が形成されている。このようにすれば、傾斜状をなす周壁３９ａ，４０ａを所望の形状に容易に成形することができる。【００８３】
また、スリット４１は、周壁３９ａ，４０ａの基端よりも拡張して形成されている。このようにすれば、シャーシ１４から傾斜状をなす周壁３９ａ，４０ａを外向きに立ち上げて成形する際、シャーシ１４のうち周壁３９ａ，４０ａの基端の近傍に応力が作用し難くなる。これにより、シャーシ１４に割れが生じるなどといった問題を回避することができる。【００８４】
また、取付部３０，３１は、挟持部３０ｂ，３１ｂの突出方向について互いに離間した位置に一対設けられるのに対し、取付孔３２，３３及び受入部３９，４０は、それぞれ一対の取付部３０，３１に対応した位置に一対ずつ設けられており、当接部４３は、一対の受入部３９，４０にそれぞれ設けられている。このようにすれば、挟持部３０ｂ，３１ｂの突出方向について互いに離間した一対の受入部３９，４０にそれぞれ設けた当接部４３を、対応する一対の取付部３０，３１に当接させることができるので、高い案内機能を得られる。また、シャーシ１４に対してランプクリップ１８が保持される箇所が挟持部３０ｂ，３１ｂの突出方向について互いに離間した２箇所になるから、取付状態をより安定化できるとともに、各受入部３９，４０により漏光を抑制することができる。【００８５】
また、取付部３０，３１における挟持部３０ｂ，３１ｂの突出端には、本体部２７との間の距離が先端側に向けて連続的に漸次広がるガイド部３６が設けられている。このようにすれば、ガイド部３６により挟持部３０ｂ，３１ｂと本体部２７との間に取付孔３２，３３の縁部が進入する動作がより円滑なものとなる。これにより、当接部４３とも相まって取り付け時のランプクリップ１８の移動動作をさらに円滑なものとすることができる。【００８６】
また、本体部２７とシャーシ１４とには、互いに凹凸嵌合することで、本体部２７に沿う方向について相互を位置決め可能な位置決め構造がそれぞれ設けられている。このようにすれば、ランプクリップ１８をシャーシ１４に対して本体部２７に沿う方向について位置決め状態に保つことができる。【００８７】
また、位置決め構造は、本体部２７に設けられた位置決め凸部４４と、シャーシ１４に設けられ位置決め凸部４４を嵌合可能な位置決め孔４５とから構成される。このようにすれば、本体部２７側に設けた位置決め凸部４４を、シャーシ１４側に設けた位置決め孔４５に嵌合させることで、シャーシ１４に対するランプクリップ１８の位置決めを図ることができる。【００８８】
また、位置決め構造は、取付部３０，３１が受入部３９，４０内に配された状態では、非嵌合状態とされるのに対し、取付部３０，３１が取付孔３２，３３内に配された状態では、嵌合状態とされる。このようにすれば、取付部３０，３１が取付孔３２，３３内に配され、その挟持部３０ｂ，３１ｂと本体部２７との間で取付孔３２，３３の縁部が挟持された状態ではじめて位置決め構造が嵌合状態となる。これにより、シャーシ１４に取り付けたランプクリップ１８を安定的に保持することができる。【００８９】
また、本体部２７のうち受入部３９，４０に対して平面視重畳する部分には、受入部３９，４０よりも幅広な幅広部４２が設けられている。このようにすれば、幅広部４２により本体部２７が受入部３９，４０内に落ち込むのを回避することができる。これにより、ランプクリップ１８の取付状態をより安定化させることができる。また、仮に本体部の全体を幅広にした場合と比べて、本体部２７に用いる材料費を低減することができる。【００９０】
＜実施形態２＞
本発明の実施形態２を図１８から図２０によって説明する。この実施形態２では、位置決め構造などを除去するとともに取付部などの構造を変更したものを示す。なお、この実施形態２では、上記した実施形態１と同様の部位には、同一の符号を用いるとともにその末尾に添え字Ａを付すものとし、構造、作用及び効果について重複する説明は省略する。【００９１】
第２取付部３１Ａを構成する挟持部３１ｂＡの先端には、図１８に示すように、本体部２７Ａ側へ突出するとともにシャーシ１４Ａに形成された係止孔４８に係止可能な係止部４７が設けられている。係止部４７のうち本体部２７Ａとの対向面には、テーパ面が形成されている。係止部４７のうち基部３１ａＡとの対向面は、基部３１ａＡの外面とほぼ平行で直立していて、シャーシ１４Ａに対するランプクリップ１８Ａのスライド方向（Ｙ軸方向）と直交する方向（Ｚ軸方向）に沿ってほぼ真っ直ぐな面となっており、ここがシャーシ１４Ａの係止孔４８に対する係止面となっている。係止孔４８は、シャーシ１４Ａの底板１４ａＡのうち第２取付孔３３Ａに対して図１８に示す右側に離間した位置、つまり取付方向に離間した位置に貫通形成されている。なお、本実施形態では、上記実施形態１にて示した位置決め構造及び補強リブを除去している。【００９２】
第２受入部４０Ａを構成する底壁４０ｂＡは、第２取付孔３３Ａ側への開口端側にかけて次第に外側に開くよう傾斜状に形成されている。詳しくは、第２受入部４０Ａの底壁４０ｂＡのうち、短辺側壁部４０ａｂＡ側の所定領域は、Ｘ軸方向及びＹ軸方向に沿ってほぼ真っ直ぐなのに対し、上記開口端側の所定領域は、第２取付孔３３Ａに近づくに従って本体部２７Ａとの間の距離を増加させるよう傾斜した傾斜部４０ｂａとなっている。従って、待機位置では、第２取付部３１Ａの挟持部３１ｂＡの底面と、底壁４０ｂＡの内面との間には、所定の隙間が保有され、その隙間は挟持部３１ｂＡの先端側に向けて次第に拡がる形態とされるから、片持ち状をなす第２取付部３１Ａの挟持部３１ｂＡの弾性変位が許容されるようになっている（図２０）。また、第２受入部４０Ａに形成された当接部４３Ａは、第２受入部４０ＡにおけるＺ軸方向のほぼ全域にわたって形成されている。【００９３】
ランプクリップ１８Ａをシャーシ１４Ａの底板１４ａＡに取り付ける際には、図１９に示す取外し位置において、第１取付部３０Ａを第１受入部３９Ａに、第２取付部３１Ａを第２受入部４０Ａにそれぞれ平面視重畳するよう位置合わせしつつ、ランプクリップ１８Ａをシャーシ１４Ａの底板１４ａＡに対して接近するよう表側からＺ軸方向に沿って押し込む。すると、第１取付部３０Ａが第１受入部３９Ａ内に、第２取付部３１Ａが第２受入部４０Ａ内に進入する。そして、ランプクリップ１８Ａが待機位置に達すると、図２０に示すように、本体部２７Ａの裏側の面が反射シート２３Ａに当接するとともに、第１取付部３０Ａの全体が第１受入部３９Ａ内に、第２取付部３１Ａの全体が第２受入部４０Ａ内にそれぞれ進入される。このとき、各取付部３０Ａ，３１Ａの側面に対して各当接部４３Ａが当接されるのであるが、各取付部３０Ａ，３１Ａが全体的に各受入部３９Ａ，４０Ａ内に進入しているので、その当接面積は上記実施形態１よりも大きくなっている。この状態では、各取付部３０Ａ，３１Ａの挟持部３０ｂＡ，３１ｂＡと本体部２７Ａとの間の隙間が、各取付孔３２Ａ，３３Ａの縁部に対してＺ軸方向に整合している。【００９４】
続いて、待機位置のランプクリップ１８Ａを図２０に示す矢線方向、つまりＹ軸方向に沿って取付位置へ向けてスライドさせる。その過程で、ランプクリップ１８Ａが所定位置に達すると、第２取付部３１Ａの係止部４７が第２取付孔３３Ａの縁部に乗り上げるとともに、その挟持部３１ｂＡが本体部２７Ａ及び底板１４ａＡから離れる方向へ一旦弾性変形する。このとき、第２受入部４０Ａの底壁４０ｂＡが傾斜状に形成されているので、第２取付部３１Ａの弾性変形が阻害されることがない。一方、第１取付部３０Ａについては、ガイド部３６Ａが第１取付孔３２Ａの縁部に摺接されることで、その挟持部３０ｂＡを底板１４ａＡの裏側へ円滑に導くことができ、もって挟持部３０ｂＡと本体部２７Ａとの間の隙間に第１取付孔３２Ａの縁部が進入する動作を案内することができる。そして、ランプクリップ１８Ａが取付位置に達すると、図１８に示すように、係止部４７が係止孔４８に整合するので、第２取付部３１Ａの挟持部３１ｂＡが弾性復帰するとともに係止部４７が係止孔４８内に進入し、互いの係止面同士が係止する。これにより、ランプクリップ１８Ａが取付位置から待機位置側（取外し方向）へ不用意に移動するのが規制される。この取付位置では、第１取付部３０Ａの挟持部３０ｂＡと本体部２７Ａとの間で第１取付孔３２Ａの縁部が挟持されるとともに、第２取付部３１Ａの挟持部３１ｂＡと本体部２７Ａとの間で第２取付孔３３Ａの縁部が挟持されることで、ランプクリップ１８ＡがＺ軸方向について不用意に移動するのが規制される。以上により、ランプクリップ１８Ａを取付位置に固定することができる。【００９５】
＜他の実施形態＞
本発明は上記記述及び図面によって説明した実施形態に限定されるものではなく、例えば次のような実施形態も本発明の技術的範囲に含まれる。【００９６】
（１）上記した各実施形態では、受入部において当接部がＹ軸方向について３つ並列配置されたものを示したが、２つ以下（１つを含む）、または４つ以上設けるようにしたものも本発明に含まれる。また、当接部のＹ軸方向についての形成範囲は、適宜に変更可能である。【００９７】
（２）上記した各実施形態では、Ｙ軸方向について隣り合う当接部間の距離が、取付部におけるＹ軸方向についての寸法よりも小さくなる設定のものを示したが、当接部間の上記距離が取付部の上記寸法とほぼ同じとしたものや、当接部間の上記距離が取付部の上記寸法よりも大きくなる設定としたものも本発明に含まれる。【００９８】
（３）上記した各実施形態では、受入部のうち互いに対向する両長辺側壁部にそれぞれ当接部を設けたものを示したが、互いに対向する両長辺側壁部のいずれか一方にのみ当接部を設けるようにしてもよい。【００９９】
（４）上記した各実施形態では、受入部のうち互いに対向する両長辺側壁部にそれぞれ当接部を設け、且つ当接部同士を対向状に配したものを示したが、互いに対向する両長辺側壁部にそれぞれ当接部を設けるものの、異なる長辺側壁部に設けられた当接部が、Ｙ軸方向について部分的にまたは全体的にずれて配されるものも本発明に含まれる。【０１００】
（５）上記した各実施形態では、受入部のうち周壁であってＹ軸方向に沿った壁である長辺側壁部に当接部を設けたものを示したが、受入部のうち底壁に当接部を設けるようにしたものも本発明に含まれる。【０１０１】
（６）上記した各実施形態では、当接部及び取付部の当接面が互いに並行するものを示したが、当接部及び取付部の当接面が交差する関係とされるもの、具体的には当接部及び取付部の当接面のいずれか一方側がＺ軸方向に対して傾斜するのに対し、当接部及び取付部の当接面の他方側がＺ軸方向に沿って真っ直ぐになるようにしたものも本発明に含まれる。【０１０２】
（７）上記した各実施形態では、当接部及び取付部の当接面が互いに並行し且つＺ軸方向に沿ってほぼ真っ直ぐな形態を示したが、当接部及び取付部の当接面が互いに並行するものの、Ｚ軸方向に対して傾斜するようにしたものも本発明に含まれる。【０１０３】
（８）上記した各実施形態では、当接部がＺ軸方向について受入部のほぼ全域にわたって形成されるものを示したが、受入部においてＺ軸方向について当接部が部分的に形成されるものも本発明に含まれる。【０１０４】
（９）上記した各実施形態では、取付部を２つ有するランプクリップについて例示したが、取付部の設置数を３つ以上または１つのみとしたものも本発明に含まれる。その場合、取付部の設置数に応じて受入部の設置数を変更すればよい。この場合、各受入部のそれぞれに当接部を設置するのが好ましい。【０１０５】
（１０）上記した実施形態１では、位置決め構造としてシャーシに底板を貫通する位置決め孔を設けたものを示したが、例えばシャーシの底板を部分的に外側へ膨出させることで底板を貫通させることなく形成した位置決め凹部を位置決め構造としたものも本発明に含まれる。【０１０６】
（１１）上記した実施形態１では、位置決め構造として本体部側に位置決め凸部を、シャーシ側に位置決め孔（位置決め凹部）を設けたものを示したが、本体部側に位置決め孔（位置決め凹部）を、シャーシ側に位置決め凸部を設けるようにしたものも本発明に含まれる。【０１０７】
（１２）上記した各実施形態では、ランプクリップのスライド方向をＹ軸方向、つまり冷陰極管の軸方向と直交する方向としたものを例示したが、ランプクリップのスライド方向をＸ軸方向（冷陰極管の軸方向）とし、各取付部における基部からの挟持部の突出方向をＸ軸方向としたものも本発明に含まれる。【０１０８】
（１３）上記した各実施形態以外にも、ランプ把持部や支持ピンに対する各取付部の相対的な位置関係は、適宜に変更可能である。【０１０９】
（１４）上記した各実施形態では、挟持部を弾性変形可能な片持ちの板片状としたものを示したが、例えば弾性変形不能な突起状の挟持部を設けるようにしたものも本発明に含まれる。【０１１０】
（１５）上記した各実施形態では、各受入部の周壁が傾斜状をなすものを示したが、例えば周壁がシャーシの底板からほぼ垂直に立ち上がる形態としたものも本発明に含まれる。【０１１１】
（１６）上記した各実施形態以外にもランプ把持部の設置数や設置位置は適宜に変更可能である。同様に支持ピンの設置数や設置位置は適宜に変更可能である。【０１１２】
（１７）上記した各実施形態では、光源として冷陰極管を使用した場合を示したが、例えば熱陰極管など他の種類の光源を用いたものも本発明に含まれる。【０１１３】
（１８）上記した各実施形態では、シャーシを金属製の板金よりなるものとしたが、樹脂成形よりなるものとしても良い。【０１１４】
（１９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。【０１１５】
（２０）上記した各実施形態では、表示パネルとして液晶パネルを用いた液晶表示装置を例示したが、他の種類の表示パネルを用いた表示装置にも本発明は適用可能である。【０１１６】
（２１）上記した各実施形態では、チューナーを備えたテレビ受信装置を例示したが、チューナーを備えない表示装置にも本発明は適用可能である。
【図１】
2010070950.tif 000003
【図２】
2010070950.tif 000004
【図３】
2010070950.tif 000005
【図４】
2010070950.tif 000006
【図５】
2010070950.tif 000007
【図６】
2010070950.tif 000008
【図７】
2010070950.tif 000009
【図８】
2010070950.tif 000010
【図９】
2010070950.tif 000011
【図１０】
2010070950.tif 000012
【図１１】
2010070950.tif 000013
【図１２】
2010070950.tif 000014
【図１３】
2010070950.tif 000015
【図１４】
2010070950.tif 000016
【図１５】
2010070950.tif 000017
【図１６】
2010070950.tif 000018
【図１７】
2010070950.tif 000019
【図１８】
2010070950.tif 000020
【図１９】
2010070950.tif 000021
【図２０】
2010070950.tif 000022
【国際調査報告】
2010070950.tif 000023
2010070950.tif 000024
2010070950.tif 000025
2010070950.tif 000026